(57)【要約】【課題】  袋部材の表面積を有効に活用して吸込力の低下を防ぐために集塵室や蓋体の内壁に凸状のリブを設けたり、流路確保部材を設けて、風の流れる空間を確保していたが、本体の小型化が進み、集塵室の有効容積が減少してくるといくら袋部材の表面積を確保しても目詰まりしやすい塵埃の場合、袋部材が塵埃で一杯になる前に吸込力が低下してしまい、袋部材を交換する必要があった。【解決手段】  蓋体の外側に除塵部材を振動させる振動部材を設け、蓋体の外側から振動部材を振動させて袋部材を振動し塵埃を落下させる構造にした。  また、除塵部材を電源コード巻取り装置の操作ボタンに連動して動作する構造にしたことにある。また、除塵部材は弾性体により、常に蓋体の外側方向へ付勢している構造にした。【選択図】  図１
2006167237.tif 000002
【特許請求の範囲】
【請求項１】
掃除機本体に集塵室と袋部材と電動送風機と、前記集塵室を開閉する蓋体を有し、前記蓋体の内側に除塵部材を設けた電気掃除機において、
前記蓋体の外側に前記除塵部材を振動させる振動部材を設けた
ことを特徴とする電気掃除機。
【請求項２】
掃除機本体に集塵室と袋部材と電動送風機と電源コード巻取り装置と、
前記集塵室を開閉する蓋体を有し、
前記蓋体の内側に除塵部材を設けた電気掃除機において、
前記除塵部材を振動させる振動部材を設け、前記振動部材は
前記電源コード巻取り装置の操作ボタンに連動して動作する
ことを特徴とする電気掃除機。
【請求項３】
請求項１もしくは請求項２に記載の電気掃除機において
蓋体の内側に設けた除塵部材と振動部材は連動する構造であると共に
前記除塵部材は弾性体により、常に蓋体の外側方向へ付勢している
ことを特徴とする電気掃除機。
【発明の詳細な説明】
【技術分野】
【０００１】
本発明は、電気掃除機に関するものである。
【背景技術】
【０００２】
以下、図６を使って説明する。
【０００３】
従来の電気掃除機は、集塵室６０１に紙袋などの袋部材６０２を設けて吸引した塵埃を集塵している。この塵埃が蓄積してくると袋部材６０２は徐々に目詰まりを始めて、しだいに吸込力が低下してくる。このとき袋部材６０２の内部の圧力よりも集塵室６０１内部の圧力の方が負圧として大きいため、袋部材６０２は集塵室６０１や蓋体６０３の内壁に貼り付いてしまい、風の流れる空間が減少して吸込力が低下する原因になっていた。そこで、袋部材６０２の表面積を有効に活用して吸引力の低下を防ぐために蓋体６０３の内壁に凸状のリブ６０４（図示せず）や流路確保部材６０５を設けて、風の流れる空間を確保していた。
【０００４】
また、袋部材６０２に集塵した塵埃は、比較的軽微な塵埃が多いため袋部材６０２の全面内側に貼りついて吸込力が低下する原因になっていた。
【発明の開示】
【発明が解決しようとする課題】
【０００５】
しかしながら、上記に記載の技術において、袋部材の表面積を有効に活用して吸込力の低下を防ぐために集塵室や蓋体の内壁に凸状のリブを設けたり、流路確保部材を設けて、風の流れる空間を確保していたが、本体の小型化が進み、集塵室の有効容積が減少してくるといくら袋部材の表面積を確保しても目詰まりしやすい塵埃の場合、袋部材が塵埃で一杯になる前に吸込力が低下してしまい、袋部材を交換する必要があった。
【０００６】
本発明の目的は上記課題を解決し、低下した吸込力を回復させることを可能にした電気掃除機を提供することにある。
【課題を解決するための手段】
【０００７】
上記の目的を達成するために本発明の特徴とするところは、
掃除機本体に集塵室と袋部材と電動送風機と、前記集塵室を開閉する蓋体を有し、前記蓋体の内側に除塵部材を設けた電気掃除機において、
前記蓋体の外側に前記除塵部材を振動させる振動部材を
設けたことにある。
【０００８】
また、掃除機本体に集塵室と袋部材と電動送風機と電源コード巻取り装置と、
前記集塵室を開閉する蓋体を有し、
前記蓋体の内側に除塵部材を設けた電気掃除機において、
前記除塵部材を振動させる振動部材を設け、前記振動部材は
前記電源コード巻取り装置の操作ボタンに連動して動作する
構造にしたことにある。
【０００９】
また、上記に記載の電気掃除機において
蓋体の内側に設けた除塵部材と振動部材は連動する構造であると共に
前記除塵部材は弾性体により、常に蓋体の外側方向へ付勢している
構造にしたことにある。
【発明の効果】
【００１０】
以上説明したように本発明によれば、
掃除機本体に集塵室と袋部材と電動送風機と、前記集塵室を開閉する蓋体を有し、蓋体の内側に除塵部材を設けた電気掃除機において、
蓋体の外側に除塵部材を振動させる振動部材を設けたので
塵埃が貼り付いた袋部材を振動して塵埃を下方へ落下できるので、袋部材の天井面からの吸込力を回復することが可能な電気掃除機を提供することができる。
【００１１】
また、
掃除機本体に集塵室と袋部材と電動送風機と電源コード巻取り装置と、
集塵室を開閉する蓋体を有し、蓋体の内側に除塵部材を設けた電気掃除機において、除塵部材を振動させる振動部材を設け、振動部材は電源コード巻取り装置の操作ボタンに連動して動作するので
電源コードの出し入れの操作のときに自動的に吸込力が回復できる。
【００１２】
また、掃除機表面に露出するボタンの数を減らすことができるので意匠性を維持したまま吸込力を回復可能な電気掃除機を提供することができる。
【００１３】
また、
蓋体の内側に設けた除塵部材と振動部材は連動する構造であると共に除塵部材は弾性体により、常に蓋体の外側方向へ付勢しているので
集塵容積を減少させることなく、吸込力を回復可能な電気掃除機を提供することができる。
【発明を実施するための最良の形態】
【００１４】
以下、本発明の実施の形態の一例を添付の図面に基づいて説明する。
【００１５】
図５は本発明の実施の形態の一例に係る電気掃除機の全体外観図である。
【００１６】
吸口５０１から吸引された塵埃は延長管５０２、ホース５０３を通り掃除機本体５０４に集塵される。
【００１７】
図２は本発明の実施の形態の一例に係る電気掃除機の本体断面図である。
【００１８】
掃除機本体５０４の内部には集塵室２０１、電動送風機２０２を設けており、集塵室２０１には吸引した塵埃を集塵する袋部材２０３が装着されている。袋部材２０３には硬質材料からなる枠体２０４を一体に設けており、この枠体２０４によって集塵室２０１に取り付けている。集塵室２０１上部には袋部材２０３を取出し可能に開閉可能な蓋体２０５を設けている。
【００１９】
掃除機を運転すると集塵室２０１内部の圧力よりも袋部材２０３内部の圧力の方が負圧で低いため、袋部材２０３は集塵室２０１一杯に広がる。
【００２０】
そこに、塵埃２０６が入ってくると同じように袋部材２０３の内面一杯に広がって貼り付き徐々に吸込力が低下していく。そこで、蓋体１０５の内側には、低下した吸込力を回復させるための除塵部材２０７を設けている。また、前記除塵部材２０７を掃除機の外側から振動させる振動部材２０８を蓋体２０５の外側に設けている。
【００２１】
図１は本発明の実施の形態の一例に係る電気掃除機の本体断面図である。
【００２２】
上記図２で袋部材２０３の内面一杯に貼り付いた塵埃２０６は、電動送風機２０２の運転が停止すると、重力の力によって床面方向に堆積するが、比較的軽微な塵埃は袋部材２０３に貼り付いたままになっている。そこで、振動部材２０８を掃除機本体の外側から何度か押すと、これに連動して除塵部材２０７が袋部材２０３の天井面を振動させて、塵埃２０６を除塵する。これにより吸込力が回復すると共に新たな塵埃を濾過する表面積が復活するため、袋部材２０３が比較的小さくても沢山の塵埃を集塵することができる。
【００２３】
図４は本発明の実施の形態の一例に係る電気掃除機の断面図である。
【００２４】
掃除機本体内部には電源コード巻取り装置を内蔵している。（図示せず）この巻取り装置の操作ボタン４０１は上下にスライドする構造になっており、連動レバー４０２と連動している。
【００２５】
図３は本発明の実施の形態の一例に係る電気掃除機の断面図である。
【００２６】
電源コード巻取り装置の操作ボタン４０１を押すと、これに連動して連動レバー４０２が回転する。更に連動して除塵レバー３０１が回転して除塵部材２０７が袋部材２０３を振動させる。
【００２７】
このように上記図１で説明した構成の他に、振動部材４０２を直接振動しなくても、電源コード巻取り装置の操作ボタン４０１と連動させることによって同じように袋部材２０３の天井面の塵埃２０６を除塵することができる。
【００２８】
また、除塵部材２０７は弾性体３０２によって常に蓋体２０５の内側から外側に向って付勢されているので、通気性の良い塵埃（綿塵埃など）が多く含まれた塵埃の場合でも集塵室２０１の容積を減少させることがないので、多くの塵埃を集塵することができる。
【図面の簡単な説明】
【００２９】
【図１】本発明の実施の形態の一例に係る電気掃除機の本体断面図である。
【図２】本発明の実施の形態の一例に係る電気掃除機の本体断面図である。
【図３】本発明の実施の形態の一例に係る電気掃除機の本体断面図である。
【図４】本発明の実施の形態の一例に係る電気掃除機の本体断面図である。
【図５】本発明の実施の形態の一例に係る電気掃除機の全体外観図である。
【図６】従来の電気掃除機の本体断面図である。
【符号の説明】
【００３０】
２０１…集塵室、２０２…電動送風機、２０３…袋部材、２０４…枠体、２０５…蓋体、２０６…塵埃、２０７…除塵部材、２０８…振動部材、３０１…振動レバー、３０２…弾性体、４０１…操作ボタン、４０２…連動レバー、５０１…吸口、５０２…延長管、５０３…ホース、５０４…掃除機本体、６０１…集塵室、６０２…袋部材、６０３…蓋体、６０４…リブ、６０５…流路確保部材。
【図１】
2006167237.tif 000003
【図２】
2006167237.tif 000004
【図３】
2006167237.tif 000005
【図４】
2006167237.tif 000006
【図５】
2006167237.tif 000007
【図６】
2006167237.tif 000008